(57)【要約】【課題】従来のＣ形雨樋は、屋根材の上に雨樋の位置決めを助けるため、屋根材の波形の上端部を切り、上方向に折り曲げてストッパーを作り、そのストッパーに引っかけるように雨樋を取り付けていたが面倒であった。【解決手段】本発明の略Ｃ形雨樋は、Ｃ形樋（１）は波形屋根（２）の厚みを切り取った溝（３）は、Ｃ形樋（１）を波形屋根（２）に取り付け易くするために、両方の面に面取り（４）をすることで簡単に取り付けられ、しかもＵ形の雨樋のように支持具が要らない。【選択図】図１
2005076178.tif 000002
【特許請求の範囲】
【請求項１】
Ｃ形樋（１）は、鉄板またはプラスチックやファイバーガラス材料やスレート等を、波の形に加工した波形屋根（２）の最も高い所と、最も低い所の蛇行した高低差の厚みぐらいを、管の長さ方向に切り取った溝（３）または、板を略Ｃ形に曲げた形でできている。
そのＣ形樋（１）を、波形屋根（２）に取り付け易くするために、その溝（３）の両方の面に、面取り（４）をすることを特徴とする略Ｃ形雨樋。
【請求項２】
Ｃ形樋（１）に勾配を取り付けるために、Ｃ形樋（１）にはネジ（５）を上下に取り付けて波形屋根（２）を挟み、ネジ（５）の調節によって雨水を下流に流すことをすることを特徴とする請求項１の略Ｃ形雨樋。
【請求項３】
庇などによく使われている平らな屋根は、溝（３）の上部を多少ジグザグにすることで、雨水を集めることができることを特徴とする請求項１と請求項２の略Ｃ形雨樋。
【発明の詳細な説明】
【０００１】
【発明の属する技術分野】
本発明は、波板を使用した屋根の雨樋に関し、一方を切断した略Ｃ形のパイプを波板の端に嵌めるだけで、従来の雨樋に変わる略Ｃ形雨樋に関するものである。
【０００２】
【従来の技術】
従来の金属製またはプラスチック製の雨樋は、通常断面が大体略Ｕ字形であり、この雨樋の一方の壁は建物の化粧板等に取り付けられ、雨樋の開口部分が上向きで、この開口部分から中へ、屋根から雨水が流入するよう構成されている。
しかしながら、かかる構造の雨樋では、その上端が開放しているため、ごみ、落ち葉等が雨樋内に堆積する問題があった。
【０００３】
その問題を解消するため出願しているものは、特許出願公表昭５６−５０１３２６の名称の雨樋（図８）は、取り付けが容易で、上端が従来の略Ｕ形の雨樋のように大きく開放しないように、屋根から雨水を集めるため雨樋を管状に成形し、その長さ方向に溝孔を取り付け、この溝孔によって屋根材の突出部分に管状雨樋をクランプさせるようにした雨樋があった。
【０００４】
その他、西暦２００１以後の公開されているものについて、
【０００５】
【発明が解決しようとしている課題】
従来の特許出願公表昭５６−５０１３２６の名称の雨樋は、図８のように突出した屋根材に取り付けた雨樋管の断面図で、その図を参照して、屋根材の上に雨樋の位置決めを取り付けるため、屋根材を波形の上端部で切り、上方向に折り曲げてストッパーを作り、そのストッパーに引っかけるように雨樋を取り付けていた。
【０００６】
しかし、雨樋は位置決めをしなくても、いっぱい奥に挿入しても波板の隙間から雨水は十分排出されるから、ストッパーは不要である。
まして、屋根材を切ってストッパーにすること自身が面倒であったし、更に屋根材に溝を嵌め込むのが難しく、実際に取り付けは約４メートルある雨樋を、端から端しまで一挙に取り付けないと難しく、端から順番に取り付けることに熟練を要した。
【０００７】
そこで、本発明の略Ｃ形雨樋は、Ｃ形樋（１）は波形屋根（２）の蛇行している厚みを切り取ったことと、溝（３）はＣ形樋（１）を波形屋根（２）に取り付け易くするために、両方の面に面取り（４）をすることで簡単に取り付けられる略Ｃ形雨樋を提供するものである。
【０００８】
【課題を解決するための手段】
上記目的を達成するために略Ｃ形雨樋は、Ｃ形樋（１）を波形屋根（２）の最も高い所と、最も低い所の、高低差の厚みを切り取った溝（３）または、板をＣ形に加工したＣ形樋（１）の溝（３）の幅を同じくし、波板屋根（２）の縁に軽く取り付けられる。
【０００９】
そして、波形屋根（２）の波板の重ね目が厚くなるため、波板の重ね目の部分をＣ形樋（１）が摩擦によってクランプする。
したがって、Ｃ形樋（１）を波形屋根（２）の軒先に取り付ける場合は、波形屋根（２）の波板の重ね部分だけでよいため、取り付けが簡単になる。
【００１０】
また、Ｃ形樋（１）を波形屋根（２）に取り付け易くするために、その溝（３）の両方に面に、面取り（４）をして、面取り（４）は斜面または丸味をつけたものでよく、取り付け易くなったことで目的を達成した。
【００１１】
請求項２の、Ｃ形樋（１）に勾配を取り付けるために、Ｃ形樋（１）にはネジ（５）を上下に取り付けて波形屋根（２）を挟み、ネジ（５）の調節によって雨水を下流に流すことで目的を達成した。
【００１２】
請求項３の、Ｃ形樋（１）は平らな屋根に取り付けるため、Ｃ形樋（１）の上部の溝（３）に雨水を流すために多少の蛇行を付けることで目的を達成した。
【００１３】
【発明の実施の形態】
本発明の略Ｃ形雨樋は、従来のＵ形雨樋のように大量の雨水を処理することは難しく、５平米ぐらいの雨水を処理するために作った。しかし、５平米の雨水しか処理しない変わりに取り付けが容易で、取り付ける金具などが要らないのでコストがかからない。
【００１４】
では、略Ｃ形雨樋を実際に設置すると、Ｃ形樋（１）を波板でできている波形屋根（２）の最も高い所と、最も低い所の蛇行している高低差を切り取った溝（３）は、軽く差し込むだけで取り付けられる。そして、波形屋根（２）の波板の重ね部分の厚みが多くなるため強く差し込むとよく、波板の重ね目の部分をＣ形樋（１）が摩擦によってクランプする。
【００１５】
したがって、Ｃ形樋（１）を波形屋根（２）の軒先に取り付ける場合は、波形屋根（２）の波板の重ね部分だけでよいため、取り付けが簡単になる。
また、Ｃ形樋（１）を波形屋根（２）に取り付け易くするために、その溝（３）の両方の面に、面取り（４）をして取り付け易くすることで、更に取り付けが容易になった。しかし、摩擦だけのクランプで心配なときは、シリコンゴムなどで接着とよい。
【００１６】
請求項２の、Ｃ形樋（１）に勾配を取り付けるために、Ｃ形樋（１）にはネジ（５）を上下に取り付けており、設置後に上流に当たる部分は上からのネジ（５）を最初に締め、Ｃ形樋（１）が上に固定したことを確認してしたのネジ（５）を締める。
下流に当たる部分は、最初に下のネジ（５）から締めてＣ形樋（１）が下がったことを確認してから、上のネジ（５）を締めることで勾配が付き雨水を下流に流す。
【００１７】
請求項３の、Ｃ形樋（１）は平らな屋根に取り付けるため、Ｃ形樋（１）の上部の溝（３）に雨水を流すために多少の蛇行を付けることで、平らな屋根とＣ形樋（１）の間に隙間ができ、その隙間から雨水が排出される。また、取り付けるとき全体が一定なクランプよりは、部分的なクランプの方が取り付け易い。
【００１８】
【実施例】
以下、本発明の実施例について図面を参照して説明する。
（イ）図１は、略Ｃ形雨樋を取り付けた斜視図で、軒（６）に波板屋根（２）を止め釘（７）によって止めた波形屋根（２）である。
波形屋根（２）の軒（６）先に、雨水を集めるためにＣ形樋（１）を取り付けている。
【００１９】
その模式図が図２で、正面から見たところと、図３が側面からところの断面図で、波形屋根（２）とＣ形樋（１）の接合部を表している。
（ロ）では、実施の一例として、Ｃ形樋（１）を直径４２ミリのパイプを利用して作るとき、一部を溝（３）として長手方向に１０ミリ取り除き、その断面は波形屋根（１）を挿入し易くするために面取り（４）をしている。
【００２０】
波板屋根（２）の、波の肯定は１０ミリで、１０ミリの溝（３）を開けるとＣ形樋（１）の取り付けが上手くいかないように思えるが、波形屋根（２）は波板を重ねて雨を防ぐものであるから、その重ねているところは２ミリ厚くなるので、Ｃ形樋（１）の挿入は部分的になるので、取り付けは容易になる。
なお、取り付けた略Ｃ形雨樋が不安なときは、シリコンゴムなどを部分的に注入して接着すればよい。
【００２１】
（ハ）屋根に勾配が付いていないときは、ネジ（５）で操作して勾配を付ける。図４はネジ（５）で固定した所の側面を表した断面図の上流部分で、Ｃ形樋（１）にはネジ（５）を上下に取り付けており、挿入後に上流に当たる部分は、上からのネジ（５）を最初に締め、Ｃ形樋（１）が上に固定したことを確認してネジ（５）を締め、ネジ（５）は図のようにＣ形樋（１）を上に持ち上げた上体で固定する。
【００２２】
図５は、中間部分を現しており、上下のネジ（５）はＣ形樋（１）の勾配を見ながら止める。
図６の、下流に当たる部分は、最初に下のネジ（５）から締めてＣ形樋（１）が下がったことを確認してから、上のネジ（５）を締めることで勾配が付き雨水を下流に流す。
【００２３】
（ニ）雨水を真ん中に集めて排水するときは、図７の正面図のようにＴ字形接続具（８）も、図のように切断して波板屋根（２）を挿入して雨水を管（９）の方に流す。
【００２４】
【発明の効果】
以前発明した略Ｃ形雨樋は、次のような効果があった。
（イ）波板の端に取り付けるだけで、従来の樋と雨樋支持具の変わりをするため簡単である。
（ロ）略Ｃ形雨樋を取り付けることで、波板の補強ができ、さらに波板の縁が突起しているのを防ぐため安全である。
（ハ）波板の隙間から雨水を排出する構造になっているため、落ち葉等が雨樋に溜まることがない。
【図面の簡単な説明】
【図１】図は、本発明の斜視図である。
【図２】図は、Ｃ形樋に波形屋根を取り付けた背面図である。
【図３】図は、Ｃ形樋に波形屋根を取り付けた側面図である。
【図４】図は、上流部のＣ形樋の断面図である。
【図５】図は、中間部分のＣ形樋の断面図である。
【図６】図は、下流部のＣ形樋の断面図である。
【図７】図は、Ｔ時形接続具の正面図である。
【図８】図は、従来の雨樋の断面図である。
【符号の説明】
１  Ｃ形樋
２  波板屋根
３  溝
４  面取り
５  ネジ
６  軒
７  止め釘
８  Ｔ字形接続具
９  管
【図１】
2005076178.tif 000003
【図２】
2005076178.tif 000004
【図３】
2005076178.tif 000005
【図４】
2005076178.tif 000006
【図５】
2005076178.tif 000007
【図６】
2005076178.tif 000008
【図７】
2005076178.tif 000009
【図８】
2005076178.tif 000010